(57)【要約】【課題】複数個の被梱包物を梱包する梱包構造であって、サイズ規格の異なるロットの被梱包物に対応できる梱包構造を提供しようとする。【解決手段】一の端面、他の端面及び両側面で囲繞される空間を有する梱包箱と、該梱包箱に収められて、前記側面と平行に間隔をおいて配列し、縁部に、該側面と直交する方向にみて互いに対応する位置で切り欠きが形成された複数の仕切り板と、前記一の端面に対面して位置し、各前記仕切り板の一の端部に設けられた係合部と係合する前板と、前記他の端面に対面して位置し、各前記仕切り板の他の端部に設けられた係合部と係合する前板と、前記両側面の間に嵌入する長さの複数の長尺ブロック状のクッション体とを含んで成り、前記複数のクッション体から選択されるクッション体が前記切り欠きにより生じた収容空間に収容された梱包構造である。【選択図】  図１
2004359282.tif 000002
【特許請求の範囲】
【請求項１】
一の端面、他の端面及び両側面で囲繞される空間を有する梱包箱と、
該梱包箱に収められて、前記側面と平行に間隔をおいて配列し、縁部に、該側面と直交する方向にみて互いに対応する位置で切り欠きが形成された複数の仕切り板と、
前記一の端面に対面して位置し、各前記仕切り板の一の端部に設けられた係合部と係合する前板と、
前記他の端面に対面して位置し、各前記仕切り板の他の端部に設けられた係合部と係合する前板と、
前記両側面の間に嵌入する長さの複数の長尺ブロック状のクッション体とを含んで成り、
前記複数のクッション体から選択されるクッション体が前記切り欠きにより生じた収容空間に収容された梱包構造。
【請求項２】
前記切り欠きが、前記仕切り板の下縁部と側縁部とに形成された請求項１に記載の梱包構造。
【請求項３】
各前記仕切り板に前記係合部が前記一の端面と直交する方向に複数個設けられて選択されて前記前板又は前記後板と係合した請求項１又は２に記載の梱包構造。
【請求項４】
前記一の端部及び前記他の端部に、前記仕切り板から前記一の端面と直交する方向に延長された延出凸部が形成され、
該延出凸部の上縁又は下縁から対縁に向けて切り込みが形成されて前記係合部を構成し、
前記前板及び前記後板の、各前記端部と係合する位置に、少なくとも一端で閉じた上下方向のスリットが形成されて前記一の端面と直交する方向に列配され、
前記切り込みと、対応の前記スリットとが噛み合って、前記端部と前記延出凸部とが直交して係合する請求項１乃至３のいずれかに記載の梱包構造。
【請求項５】
前記前板及び前記後板の各内側面の、互いに隣接の前記スリットの間の位置に、側部クッション体が接合された請求項４に記載の梱包構造。
【請求項６】
前記クッション体の断面形状が四角であり、
前記クッション体から成る群から選択される１のクッション体、又は前記クッション体から成る群から選択される複数のクッション体が重畳された重畳クッション体、が前記収容空間に収容され、
前記切り欠きが奥に向けて階段状にせばまり、各段における前記切り欠きの幅及び深さが、前記１のクッション体の幅及び厚さ、又は、前記重畳クッション体の最上段のクッション体の幅及び前記重畳クッション体の厚さにそれぞれ等しくされた、請求項１乃至５のいずれかに記載の梱包構造。
【請求項７】
各前記仕切り板の下縁部に前記一の端面と直交する方向にみて互いに対応する他の位置で他の切り欠きが形成され、前記収容空間に収容されたクッション体を除いた残余のクッション体が、該他の切り欠きにより生じた他の収容空間に収容される請求項１乃至５のいずれかに記載の梱包構造。
【発明の詳細な説明】
【０００１】
【発明の属する技術分野】
本発明は複数個の被梱包物を梱包箱に収納する梱包構造に関する。なかでも、本発明は複数個の板状の電子部品を収納する梱包箱に好適に用いられる梱包構造に関する
【０００２】
【従来の技術】
複数個の板状の部材を収納する梱包箱の構造としては、複数の第１の仕切板と第２の仕切板とを直角に組合わせ、隣接の第１の仕切板の間に板状の部材を収納し、仕切板ごと梱包箱に収納する構造が知られている（例えば、特許文献１、２参照。）。しかし、液晶パネルのような異なるサイズ（幅や高さ）の規格を有するものについては、サイズごとに梱包箱や仕切板の規格をかえて複数種の梱包構造を用意しなければならず、ロットの種類が増えて梱包箱や仕切板の在庫管理が煩雑であり、かつ１ロットあたりの梱包箱や仕切板の数が小さくなり、梱包箱や仕切板の製造のコストも大きくなる。
【０００３】
特に、液晶パネルのような運送時の衝撃で壊れやすいものについては、被梱包体に接して設けられるクッション材の併用が必須であり、クッション材とともに異なるサイズ（幅や高さ）に対応する構造を実現するのは困難であった。このため、サイズの異なるロットの被梱包物に対しては、ロットごとに規格の異なる梱包箱を用意しなければならず、梱包材料費や、梱包材の在庫管理に高いコストがかかった。
【０００４】
【特許文献１】
特開平１−２４０４３８号公報（第１図）
【特許文献２】
特開２００１−０１９０４２号公報（第１図）
【０００５】
【発明が解決しようとする課題】
本発明は、これら問題点に鑑み、複数個の被梱包物の梱包構造であって、サイズ規格の異なるロットの被梱包物に対応できる梱包構造を提供しようとする。
【０００６】
【課題を解決するための手段】
本発明の要旨とするところは、一の端面、他の端面及び両側面で囲繞される空間を有する梱包箱と、
該梱包箱に収められて、前記側面と平行に間隔をおいて配列し、縁部に、該側面と直交する方向にみて互いに対応する位置で切り欠きが形成された複数の仕切り板と、
前記一の端面に対面して位置し、各前記仕切り板の一の端部に設けられた係合部と係合する前板と、
前記他の端面に対面して位置し、各前記仕切り板の他の端部に設けられた係合部と係合する前板と、
前記両側面の間に嵌入する長さの複数の長尺ブロック状のクッション体とを含んで成り、
前記複数のクッション体から選択されるクッション体が前記切り欠きにより生じた収容空間に収容された梱包構造であることにある。
【０００７】
前記切り欠きは、前記仕切り板の下縁部と側縁部とに形成され得る。
【０００８】
前記梱包構造においては、各前記仕切り板に前記係合部が前記一の端面と直交する方向に複数個設けられて選択されて前記前板又は前記後板と係合し得る。
【０００９】
前記梱包構造においては、前記一の端部及び前記他の端部に、前記仕切り板から前記一の端面と直交する方向に延長された延出凸部が形成され、
該延出凸部の上縁又は下縁から対縁に向けて切り込みが形成されて前記係合部を構成し、
前記前板及び前記後板の、各前記端部と係合する位置に、少なくとも一端で閉じた上下方向のスリットが形成されて前記一の端面と直交する方向に列配され、
前記切り込みと、対応の前記スリットとが噛み合って、前記端部と前記延出凸部とが直交して係合し得る。
【００１０】
前記梱包構造においては、前記前板及び前記後板の各内側面の、互いに隣接の前記スリットの間の位置に、側部クッション体が接合され得る。
【００１１】
前記梱包構造においては、前記クッション体の断面形状が四角であり、
前記クッション体から成る群から選択される１のクッション体、又は前記クッション体から成る群から選択される複数のクッション体が重畳された重畳クッション体、が前記収容空間に収容され、
前記切り欠きが奥に向けて階段状にせばまり、各段における前記切り欠きの幅及び深さが、前記１のクッション体の幅及び厚さ、又は、前記重畳クッション体の最上段のクッション体の幅及び前記重畳クッション体の厚さにそれぞれ等しくされ得る。
【００１２】
前記梱包構造においては、各前記仕切り板の下縁部に前記一の端面と直交する方向にみて互いに対応する他の位置で他の切り欠きが形成され、前記収容空間に収容されたクッション体を除いた残余のクッション体が、該他の切り欠きにより生じた他の収容空間に収容され得る。
【００１３】
【発明の実施の形態】
本発明に係る態様を図面に基づいて詳しく説明する。図１に示す本発明の梱包構造２は、梱包箱４、梱包箱４の蓋５、複数の仕切り板６、仕切り板６に係合する前板８及び後板１０及び複数の仕切り板６の下方に配される長尺ブロック状のクッション体４８ａとから構成される。
【００１４】
梱包箱４は、底板１４と底板１４の各縁からそれぞれ立設する前側板１６と後側板１８と、一対の横側板２０、２０とを含んで成る。即ち、梱包箱は、前側板１６の内面である一の端面１７、後側板１８の内面である他の端面１９及び横側板２０の内面である側面２１で囲繞される空間を有する。側面２１には、縦長のサイドクッション体２２が底板１４から上縁にわたって接合されている。
【００１５】
仕切り板６は、自身の面を側面２１と平行にして梱包箱４に収められる。又、仕切り板６は、隣接の仕切り板６同士が所定の間隔をおいて相対し配列されている。
【００１６】
前板８は仕切り板６と直交し、梱包箱４に収められた状態で前側板１６の内面に対面して仕切り板６の前端部２４の全てとそれぞれ係合する。後板１０は仕切り板６と直交し、梱包箱４に収められた状態で後側板１８の内面に対面して仕切り板６の後端部２６の全てとそれぞれ係合する。
【００１７】
前端部２４及び後端部２６それぞれの上中下３箇所に仕切り板６から一の端面１７と直交する方向に延長された延出凸部（３０ａ、３０ｂ、３０ｃ）が形成されている。延出凸部３０ａは延出凸部３０ｂの上方に位置する。延出凸部３０ｂは延出凸部３０ｃの上方に位置する。延出凸部３０ａ、３０ｂ、３０ｃとも、自身の上縁から下方に向けて切り込み３２ａ、３２ｂが形成されて係合部４３を構成している。切り込み３２ａは延出凸部（３０ａ、３０ｂ、３０ｃ）の先端がわに、切り込み３２ｂは延出凸部（３０ａ、３０ｂ、３０ｃ）の根元がわに形成されている。
【００１８】
一方、前板８及び後板１０には、延出凸部３０ａに対応した位置に上下方向にスリットが形成され、両端で閉じた上方スリット３３ａと、延出凸部３０ｂに対応した位置に形成された同様の中間スリット３３ｂと、延出凸部３０ｃに対応した位置に形成された同様の下方スリット３３ｃとから成るスリット組３４の複数が、側面２１と直交する方向に列配されている。
【００１９】
前板８及び後板１０のそれぞれの内がわ面の、互いに隣接のスリット組の間の位置に、側部クッション体３６が長手方向を縦にして接合されている。
【００２０】
切り込み３２ａ、３２ｂから選択された切り込み３２ｂと、対応のスリット（上方スリット３３ａ、中間スリット３３ｂ、下方スリット３３ｃのうちの延出凸部（３０ａ、３０ｂ、３０ｃ）のうちのひとつに対応するスリット）とが噛み合って、前側板８及び後側板１０のそれぞれと仕切り板６とが延出凸部（３０ａ、３０ｂ、３０ｃ）と直交して係合する。
【００２１】
延出凸部３０ａ、３０ｂ、３０ｃ等の延出凸部は、一の端部１７及び他の端部１９に、それぞれ１個あるいは複数個設けられてよい．。切り込み３２ａ、３２ｂ等の切り込みは各延出凸部に３個以上設けられてもよい。一方の端部がわの延出凸部に１を個設けられ、他方の端部がわの延出凸部に複数個設けられる態様であってもよい。切り込み３２ａ、３２ｂ等の切り込みは延出凸部の下縁から上方に向けて形成されて係合部４３を構成してもよい。
【００２２】
被梱包物３５は、互いに隣接の仕切り板６と前板８及び後板１０とで囲まれた空間４０に、面を仕切り板６の面と平行にして収納されることとなる。被梱包物のサイズ（幅）に応じて切り込み３２ａ、３２ｂのいずれかが選択されて対応のスリットと噛み合って係合がなされる。被梱包物３５は板状物であることが好ましい。
【００２３】
なお、側部クッション体３６は、収納状態の被梱包物の側縁に当接することとなる。
【００２４】
又、仕切り板６の下縁部４４に切り欠き４６が形成されている。切り欠き４６は、仕切り板６が前板８及び後板１０と係合して組み立てられた状態で、配列した仕切り板６の群を側面２１と直交する方向に貫く状態に各仕切り板６に形成される。即ち、側面２１と直交する方向にみて互いに対応する位置で切り欠きが形成される。長尺ブロック状のクッション体４８ａが、この切り欠き４６により生じた横長の収容空間５０に長手方向を横向き（仕切り板６の面と直交方向）に収容される。これにより、各被梱包物がクッション体４８ａ上に載置され、収納状態の被梱包物の下縁がクッション体４８ａの上面に当接する。
【００２５】
前板８及び後板１０と仕切り板６とを係合して組み立てられたものは、梱包箱４に装填される。サイドクッション体２２が列における最も外側の仕切り板６ａの外面に当接し、側面２１と直交する方向の衝撃力に対する緩衝材となる。
【００２６】
蓋５の天板５２の内側に長尺の蓋クッション体５４が長手方向を側面２１と直交する方向にして固定されている。蓋５で梱包箱４に蓋をした状態で、蓋クッション体５４は梱包箱４に装填された仕切り板６の上縁又は収納状態の被梱包物の上縁に当接することになる。又、蓋５の横の側板５８の縁に、横の側板５８から延長された係止用片８１が設けられる。係止用片８１の内側面に面ファスナーの雄部材６２が貼着されている。梱包箱４の対応の横側板２０の外面の対応する位置に面ファスナーの雌部材６４が貼着されている。係止用片８１及び雄部材６２は横の側板５８に対向する他の横の側板にも設けられている。他の横側板２０の外面の対応する位置にも面ファスナーの雌部材が貼着されている。蓋５で梱包箱４に蓋をした状態で、雄部材６２と雌部材６４とが係合して、蓋５がその状態で梱包箱４に係止される。
【００２７】
さらに、本発明の梱包構造２は、図２に示すように、クッション体４８ａの他に、長尺ブロック状のクッション体４８ｂ及びクッション体４８ｃを備える。クッション体４８ａ、クッション体４８ｂ、クッション体４８ｃは長さＬが一対の横側板２０、２０の間隔と略等しく互いに輪切り断面のサイズが異なる。
【００２８】
図３に仕切り板６の平面図を示す。切り欠き４６は奥に向けて階段状にせばまる形状をなし、最も広い部分、中間の部分、最もせばまった部分が階段状に形成されている。仕切り板６は、各仕切り板６の下縁部に側面２１と直交する方向にみて互いに対応する他の位置で他の切り欠き６０が形成されている。
【００２９】
図４に、切り欠き４６にクッション体４８ａ、クッション体４８ｂ、クッション体４８ｃが選択されてはめ込まれる各種の態様を示す。図４（ａ）は、クッション体４８ａが階段状部Ａの部分（最も広い部分）にはめ込まれた態様であり、クッション体４８ａは底板１４の内面に載置されて階段状部Ａの部分にはめ込まれる。クッション体４８ａの上面に収納状態の被梱包物が載置されて被梱包物の下縁がクッション体４８ａの上面に当接する。図４（ｂ）は、階段状部Ａの部分にはめ込まれたクッション体４８ａの上にクッション体４８ｂが載置され、クッション体４８ｂが階段状部Ｂの部分（中間の部分）にはめ込まれた態様であり、クッション体４８ｂの上面に収納状態の被梱包物が載置されて被梱包物の下縁がクッション体４８ｂの上面に当接する。図４（ｃ）は、さらにクッション体４８ｂの上にクッション体４８ｃが載置され、クッション体４８ｃが階段状部Ｃの部分（最もせばまった部分）にはめ込まれた態様であり、クッション体４８ｃの上面に収納状態の被梱包物が載置されて被梱包物の下縁がその上面に当接する。
【００３０】
従って、クッション体４８ａの幅ＷＫ１（図２）は、切り欠き４６の階段状部Ａの部分の幅Ｗ１（図３）に、クッション体４８ｂの幅ＷＫ２は、階段状部Ｂの部分の幅Ｗ２に、クッション体４８ｃの幅ＷＫ３は、階段状部Ｃの部分の幅Ｗ３に、それぞれほぼ等しい。又、クッション体４８ａの厚さＴ１は階段状部Ａの部分の深さＨ１に、クッション体４８ｂの厚さＴ２とＴ１との和は階段状部Ｂの部分の深さＨ２に、クッション体４８ｃの厚さＴ３とＴ１とＴ２との和は階段状部Ｃの部分の深さＨ３に、それぞれほぼ等しい。即ち、切り欠き４６の各段における切り欠きの幅及び深さが、クッション体４８ａ、クッション体４８ｂ、クッション体４８ｃから選択されてはめ込まれる１のクッション体の幅及び厚さ、又は、クッション体４８ａ、クッション体４８ｂ、クッション体４８ｃから選択されて重畳された重畳クッション体４９の最上段のクッション体５１の幅及び重畳クッション体４９の厚さにそれぞれ等しくされている。
【００３１】
クッション体４８ｃは図４（ｄ）に示す態様の輪切り断面形状を有するクッション体４８ｄであってもよい。クッション体４８ｄの幅ＷＫ４はＷＫ３に等しく、厚さＴ４はＴ３＋Ｔ２に等しい。この場合は、クッション体４８ａとクッション体４８ｄとが重畳されて、図４（ｃ）の態様におけるクッション体４８ｃの上面と同じ高さレベルがクッション体４８ｄの上面で実現される。
【００３２】
梱包すべき被梱包物のサイズ（仕切り板６間の隙間に収納された状態の被梱包物３５の縦方向の幅ＴＷ）に応じて、図４に示す各状態からクッション体の配置状態が選択され、収納された状態の被梱包物３５の上縁が仕切り板６の上縁と略面一となる。
【００３３】
切り欠き４６が階段状に形成されていなくとも、所定の大きさに切り欠かかれていれば、クッション体４８ａ、クッション体４８ｂ、クッション体４８ｃから選択したものを切り欠き４６で形成された収容空間に収容して、最上段のクッション体の上面のレベルを梱包すべき被梱包物のサイズに適応させることは可能である。切り欠き４６が図４に示す態様のように階段状に形成されていると、収容された全てのクッション体の、上下方向、及び一の端面１７と直交する方向、の移動を拘束するのでクッション体が梱包箱の移送中に移動することがなく、最も安定した梱包箱の移送がなされる。
【００３４】
一方、各仕切り板６に形成された他の切り欠き６０（図３）により作られる横長の他の収容空間６１（図１）には、収容空間５０に収容されたクッション体を除いた残余のクッション体が収容できる。従って、特定の規格の被梱包物が梱包されたときに使用されずに残ったクッション体を収容空間５０に収容しておくことにより、通い箱として使用された梱包箱４を開梱して他のサイズの規格の被梱包物を梱包するときに収容空間５０に収容されているクッション体を必要に応じて収容空間５０に収容して用いることが出来る。このように、梱包構造２は、各種のサイズの規格の被梱包物に１種類の構成で適応出来る通い箱として好適に用いられる。
【００３５】
図５に前板８の構成を示す。前板８の内がわ面の、互いに隣接のスリット（上方スリット３３ａ、中間スリット３３ｂ、下方スリット３３ｃ）の組３５の間の位置に、側部クッション体３６が長手方向を縦にして接合されている。側部クッション体３６は単尺のものが縦方向に複数配列されたものであってもよい。後板１０は前板８と面対称の構成を有する。
【００３６】
本発明の他の態様の一例においては、図６に示す仕切り板６ａと前板８ａ及び後板１０ａとの組み合わせが用いられる。仕切り板６ａと、前板８ａ及び後板１０ａとの係合状態は図１に示す梱包構造２における仕切り板６と前板８及び後板１０との係合状態と同様である。ただし、仕切り板６ａには、延出凸部（３０ａａ、３０ｂｂ、３０ｃｃ）に、仕切り板６（図１）の延出凸部（３０ａ、３０ｂ、３０ｃ）におけるような複数条の切り込み（３２ａ、３２ｂ）が形成されている必要はなく、少なくとも１条の図面視縦方向の切り込みが形成されて、その切り込みにより、前板８ａ又は後板１０ａとの噛み合いによる係合がなされて、隣接の仕切り板６ａ同士が所定の間隔をおいて相対し配列されればよい。なお、仕切り板６ａの上縁には、個々の被梱包物を取り出すときに好適な摘み用切り欠き７０が形成されている。
【００３７】
又、クッション体４８ｆ及びクッション体４９ｆが、配列した仕切り板６ａの群をなかば貫くように仕切り板６ａの面と直交して横切って、組み立てられた前板８ａの面及び後板１０ａの面それぞれに沿う配置で設けられている。このため、仕切り板６ａにはクッション体４８ｆ及びクッション体４９ｆの位置に対応して上部切り欠き８２ａ及び下部切り欠き８２ｂが形成され、その形成された部分にクッション体４８ｆ及びクッション体４９ｆがはめられる。
【００３８】
更に、各仕切り板６ａの下縁に、切り欠き４６ａが形成されている。切り欠き４６ａは、仕切り板６ａが前板８及び後板１０と係合して組み立てられた状態で、配列した仕切り板６ａの群を、切り欠き４６（図１）と同様の態様で貫くように各仕切り板６ａに形成される。又、各仕切り板６ａの後板１０ａがわの縁と前板８ａがわの縁に、それぞれ第二の切り欠き４７ａが形成されている。第二の切り欠き４７ａは、仕切り板６ａが前板８及び後板１０と係合して組み立てられた状態で、配列した仕切り板６ａの群を、切り欠き４６ａと同様の態様で貫くように各仕切り板６ａに形成される。長尺ブロック状のクッション体４８ａａ、４８ｂｂ（図７）から選択されるクッション体が、切り欠き４６ａにより生じた収容空間５０ａと、切り欠き４７ａにより生じた第二の収容空間５１ａに長手方向を横向き（仕切り板６ａの面と直交方向）に収容される。これにより、収納状態の被梱包物の側縁が、収容されたクッション体の側面に当接する。
【００３９】
収容空間５０ａ、第二の収容空間５１ａに収容すべきクッション体をクッション体４８ａａ、４８ｂｂから図７に示すように選択することにより、サイズの異なる被梱包物に対応して、被梱包物を安全な緩衝状態で梱包できる。なお、第二の切り欠き４７ａも奥に向けて階段状にせばまり、せばまった部分と、広がった部分とで段差が形成されている。
【００４０】
図７に組み立てられた仕切り板６ａ、前板８ａ、後板１０ａ及びクッション体４８ａａ、４８ｂｂを梱包箱４ａに収める状態を示す。梱包箱４ａの側面２１には、縦長のサイドクッション体２２ａ、２２ａの一対がそれぞれ底板１４から上縁にわたる上下方向に配されて、互いに平行に間隔をおいて接合されている。又、底板１４には、クッション体４８ａｂが、薄手方向（矢印Ｙ））を上下方向として貼着されている。クッション体４８ａｂの長手方向は側面２１と直交方向であり、クッション体４８ａｂは、組み立てられた仕切り板６ａの、切り欠き４６によって作られた収容空間５０ａの位置に相当する位置に貼着される。なお、符号９４は梱包箱４ａの取っ手孔であり、符号９６は梱包箱４ａの角部の補強材、符号５ａは蓋である。
【００４１】
例えば、クッション体４８ａａ、クッション体４８ａｂはクッション体４８ａ（図２）と同形状であり得る。クッション体４８ｂｂはクッション体４８ｂ（図２）と同形状であり得る。
【００４２】
図７（ａ）は、大、中、小の３段階のサイズの被梱包物のうち、小サイズの被梱包物を収納する場合の、クッション体の収容状態であり、クッション体４８ａａが薄手方向（矢印Ｙ´）を上下方向として第二の切り欠き４７ａのせばまった部分と、広がった部分にわたって挿入されて第二の収容空間５１ａに収容される。一方、クッション体４８ｂｂが厚手方向（矢印Ｘ´）を上下方向として切り欠き４６の最もせばまった部分から中間の部分にわたって収容空間５０ａに収容される。
【００４３】
図７（ａ´）は、図７（ａ）の構成で組み立てられた仕切り板６ａ、前板８ａ、後板１０ａ及びクッション体４８ａａ、４８ｂｂを梱包箱４ａに収める状態を示す。
【００４４】
図７（ａ´）の構成により、収納状態の被梱包物（不図示）の側縁がクッション体４８ａａの狭幅面５５ａに当接する。又、クッション体４８ｂｂの狭幅面５６ａの上面側の面がその被梱包物の下縁に当接する。クッション体４８ｂｂの狭幅面５２ａの下面側の面は、クッション体４８ａｂの上面に当接する。クッション体４８ｂｂとクッション体４８ａｂとは重畳する。
【００４５】
図７（ｂ）は、大、中、小の３段階のサイズの被梱包物のうち、中サイズの被梱包物を収納する場合の、クッション体の収容状態であり、クッション体４８ａａが厚手方向（矢印Ｘ´´）を上下方向として第二の切り欠き４７ａの広がった部分に挿入されて第二の収容空間５１ａに収容される。一方、クッション体４８ｂｂが薄手方向（矢印Ｙ´´）を上下方向として切り欠き４６の中間の部分に収容空間５０ａに収容される。
【００４６】
図７（ｂ´）は、図７（ｂ）の構成で組み立てられた仕切り板６ａ、前板８ａ、後板１０ａ及びクッション体４８ａａ、４８ｂｂを梱包箱４ａに収める状態を示す。
【００４７】
図７（ｂ´）の構成により、収納状態の被梱包物（不図示）の側縁がクッション体４８ａａの広幅面５７ｂに当接する。又、クッション体４８ｂｂの広幅面５８ｂの上面側の面がその被梱包物の下縁に当接する。クッション体４８ｂｂとクッション体４８ａｂとが重畳し、クッション体４８ｂｂの広幅面５８ｂの下面側の面は、クッション体４８ａｂの上面に当接する。
【００４８】
図７（ｃ）は、大、中、小の３段階のサイズの被梱包物のうち、小サイズの被梱包物を収納する場合の、クッション体の収容状態であり、一対のクッション体４８ｂｂが他の切り欠き６０ａにより形成される他の収容空間６１ａに収容される。クッション体４８ａａは、サイドクッション体２２ａ、２２ａの間に収容される。
【００４９】
図７（ｃ´）は、図７（ｃ）の構成で組み立てられた仕切り板６ａ、前板８ａ、後板１０ａ及びクッション体４８ａａ、４８ｂｂを梱包箱４ａに収める状態を示す。
【００５０】
図７（ｃ´）の構成により、収納状態の被梱包物（不図示）の側縁がクッション体４８ｆ及びクッション体４９ｆの縦面に当接する。又、クッション体４８ａｂの上面がその被梱包物の下縁に当接する。
【００５１】
本発明の梱包構造２、梱包構造２ａのこのような構成により、規格サイズ（縦横の幅）の異なる被梱包物の複数を並べて梱包出来る。即ち、梱包構造２、梱包構造２ａを有する通い箱にある規格の被梱包物の複数を並べて梱包し、送付先で開梱後返送されたその通い箱を他の規格サイズの被梱包物の梱包に用いることが出来る。
【００５２】
本発明の梱包構造２、２ａは、精密な電子機器あるいはその部品の輸送に好適に用いられる。なかでも、液晶パネルをはじめとする板状の被梱包物の輸送に好適に用いられる。
【００５３】
梱包箱（４、４ａ）、蓋（５、５ａ）、仕切り板（６、６ａ）、前板（８、８ａ）及び後板（１０、１０ａ）の素材は問わないが、ダンボールであることが好ましい。なかでもプラスチックダンボールであることが耐久性と耐水性が良好で更に好ましい。
【００５４】
クッション体４８ａ、４８ａａ、クッション体４８ｂ、４８ｂｂ、クッション体４８ｃ、クッション体４８ｆ、クッション体４９ｆ等のクッション体、側部クッション体３６、サイドクッション体２２、２２ａ及び蓋クッション体５４は被梱包物に作用する衝撃力を緩衝するものであれば素材は問わないが、加工性の良さから、オレフィン系、ウレタン系、エステル系、塩ビ系等の発泡樹脂材が好適に用いられる。
【００５５】
蓋５を閉じて梱包箱４とを係止する係止手段としては、面ファスナーを用いた態様の他に、ホック、紐、テープを用いた態様であってもよい。又、梱包箱４の蓋としては、前側板１６、後側板１８及び横側板２０、２０の上縁に折り曲げ自在にそれぞれ連接する蓋板であってもよい。
【００５６】
なお、本明細書においては、各図にわたって記される同じ符号は同一又は同様の部材やものを示す。
【００５７】
以上本発明の梱包構造の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００５８】
例えば、仕切り板と前板あるいは後板とは図７に示す態様で係合されてもよい。図８において、互いに平行に配列する仕切り板６ａの延出凸部８０ａ、８０ｂに形成された切り込み８２ａ、８２ｂ（係合部４３ａ）に、前側板（あるいは後側板）１６ａ、１６ｂが係合する。前側板（あるいは後側板）１６ａ、１６ｂの面には、側部クッション体３６ａが間隔８２をおいて側面２１（図１）と直交する方向（仕切り板６ａの面と直交する方向）に配されて固定されている。前側板１６ａあるいは前側板１６ｂの、間隔８２の位置の部分８４を切り込み８２ａあるいは切り込み８２ｂに挿入させて、前側板（あるいは後側板）１６ａ、１６ｂと、各仕切り板６ａとが係合する。
【００５９】
【発明の効果】
本発明の梱包構造は、通い箱として、規格サイズの異なる被梱包物の梱包に共用して用いることが出来る。この規格サイズの変更に対しては、簡単な操作で迅速に対応出来る。
【図面の簡単な説明】
【図１】本発明の梱包構造の構成を示す斜視分解図である。
【図２】本発明の梱包構造に用いられるクッション体の形状を示し、図２（ａ）は平面図、図２（ｂ）は正面図である。
【図３】本発明の梱包構造に用いられる仕切り板の形状を示す平面図である。
【図４】仕切り板に形成された切り欠きにクッション体が選択されてはめ込まれる各種の態様を示す説明図である。
【図５】本発明の梱包構造に用いられる前板と、前板に取り付けられた側部クッション体の構成を示し、図５（ａ）は平面図、図５（ｂ）は側面図である。
【図６】本発明の他の態様の一例における仕切り板と前板及び後板との組み合わせの状態を示す斜視図である。
【図７】図６に示す仕切り板と前板及び後板との組み合わせを用いた本発明の梱包構造の態様を示す分解斜視図であり、図６（ａ、ａ´）〜（ｃ、ｃ´）はそれぞれサイズの異なる被梱包物の収納に対応する。
【図８】本発明の梱包構造に用いられる仕切り板と前側板、後側板との係合の他の態様の一例を示す要部斜視模式図である。
【符号の説明】
２、２ａ：梱包構造
４、４ａ：梱包箱
５、５ａ：蓋
６、６ａ：仕切り板
８、８ａ：前板
１０、１０ａ：後板
１４：底板
１６、１６ａ、１６ｂ：前側板
１８：後側板
２０：横側板
２２、２２ａ：サイドクッション体
３０ａ、３０ｂ、３０ｃ、８０ａ、８０ｂ：延出凸部
３２ａ、３２ｂ：切り込み
３３ａ：上方スリット
３３ｂ：中間スリット
３３ｃ：下方スリット
３５：被梱包物
３６、３６ａ：側部クッション体
４０：空間
４３：係合部
４６：切り欠き
５０：収容空間
４８ａ、４８ｂ、４８ｃ：クッション体
６０：他の切り欠き
【図１】
2004359282.tif 000003
【図２】
2004359282.tif 000004
【図３】
2004359282.tif 000005
【図４】
2004359282.tif 000006
【図５】
2004359282.tif 000007
【図６】
2004359282.tif 000008
【図７】
2004359282.tif 000009
【図８】
2004359282.tif 000010